(57)【要約】      （修正有）【課題】市販されている玩具銃に搭載可能で、耐久性とブローバック動作の確実性が高く、生産コストを低減できる、銃器用ブローバック構造を提供する。【解決手段】発射物を使い切った時、銃床をブローバック状態で維持するものであって、銃器ブローバック片２０とブローバック解除ボタン１０を備え、銃器ブローバック片２０は、回転軸１２を介して銃身側に取り付けられ、発射物を使い切った時に弾丸支え板で支承されて一方向へ回転し、銃床に衝接して前方への摺動を規制し、ブローバック解除ボタン１０は、ピン１１を介して銃身側に連結されると共に、銃器ブローバック片２０と連動し、銃器ブローバック片２０が一方向へ回転して銃床に衝接した時にブローバック解除ボタン１０が一側へ回動し、ブローバック解除ボタン１０を他側へ回動させた時、銃器ブローバック片２０が他方向へ回転して銃床への衝接が解除され、銃身が前方へ摺動する。【選択図】図１Ａ
0003195137.tif 000002
【実用新案登録請求の範囲】
【請求項１】
銃身の後方に銃床を前後へ摺動可能に配置して成る玩具銃に設置され、発射物を使い切った時、銃床をブローバック状態で維持する銃器用ブローバック構造であって、
銃器ブローバック片と、ブローバック解除ボタンとを備え、
前記銃器ブローバック片は、回転軸を介して銃身側に取り付けられており、発射物を使い切った時に弾丸支え板で支承されて一方向へ回転し、前記銃床に衝接して前方への摺動を規制し、
前記ブローバック解除ボタンは、ピンを介して銃身側に連結されると共に、前記銃器ブローバック片と連動し、
前記銃器ブローバック片が一方向へ回転して前記銃床に衝接した時に前記ブローバック解除ボタンが一側へ回動し、前記ブローバック解除ボタンを他側へ回動させた時、前記銃器ブローバック片が他方向へ回転して前記銃床への衝接が解除され、前記銃身が前方へ摺動することを特徴とする、銃器用ブローバック構造。
【請求項２】
前記銃器ブローバック片に係止リード角が形成され、前記係止リード角が前記銃床の前突起部に衝接することを特徴とする、請求項１に記載の銃器用ブローバック構造。
【請求項３】
前記銃器ブローバック片は、パンチプレス鋼板より成ることを特徴とする、請求項１に記載の銃器用ブローバック構造。
【請求項４】
前記前突起部に傾斜リード角が形成され、前記係止リード角は前記傾斜リード角に衝接して係合することを特徴とする、請求項２に記載の銃器用ブローバック構造。
【請求項５】
前記銃器ブローバック片に少なくとも１つの上支え端が設置され、前記上支え端が前記弾丸支え板の頂板による支承を受けることを特徴とする、請求項１に記載の銃器用ブローバック構造。
【請求項６】
前記ブローバック解除ボタンに解除ボタン貫通孔が形成され、銃身側に銃身貫通孔が形成され、前記ピンを前記解除ボタン貫通孔及び銃身貫通孔に挿通することにより、前記ブローバック解除ボタンが銃身側に連結されていることを特徴とする、請求項１に記載の銃器用ブローバック構造。
【請求項７】
前記ブローバック解除ボタンにＬ型柱が設置され、前記Ｌ型柱が前記銃器ブローバック片の切欠口に係合して、前記ブローバック解除ボタンと前記銃器ブローバック片とが連動することを特徴とする、請求項１に記載の銃器用ブローバック構造。
【請求項８】
前記Ｌ型柱の末端と前記切欠口との当接箇所の少なくとも一方は円弧球面とされ、前記Ｌ型柱の末端が前記切欠口の辺縁に沿って摺動することを特徴とする、請求項６に記載の銃器用ブローバック構造。
【請求項９】
前記ブローバック解除ボタンの内面に弾性体が設置され、前記弾性体は、前記ブローバック解除ボタンを他側へ回動するよう付勢していることを特徴とする、請求項１に記載の銃器用ブローバック構造。
【考案の詳細な説明】
【技術分野】
【０００１】
本考案は、マガジン内または弾倉内の発射物を使い切った時、銃器を自動的にブローバックすることができるガスブローバック式の銃器用ブローバック構造に関する。
【背景技術】
【０００２】
サバイバルゲームまたはペイントボールスポーツの遊戯者は軍事マニアであることが多く、遊戯用玩具銃に対する要求は益々増加しており、特に、外観と操作感において玩具銃の実際の銃に対する擬似度合いを気にする傾向が強まっている。現在、外観と操作感の擬似度合いをより満足させる市販の玩具銃は、ガスブローバックライフル（Ｇａｓ  ｂｌｏｗ  ｂａｃｋ  ｒｉｆｌｅ、以下、ＧＢＢＲと略称する。）に属する。ＧＢＢＲは、実銃を模倣した銃器の往復運動及び反動力を有するので、遊戯者の擬似度合いに対する要求を一部満たすことができる。
【考案の概要】
【考案が解決しようとする課題】
【０００３】
従来のＧＢＢＲは、ＢＢ弾のみを射出するように構成され、かつ実銃のような銃器の往復運動と反動力を模擬することができ、しかも残弾ゼロでの銃器ブローバック機能も付与されるが、いくつかの問題が存在する。例えば、ブローバック動作の不確実やブローバック機材の耐久度の不足などにより故障し易くなり、このような不具合を解消しようとすると、ブローバック部材の生産コストが高くなってしまう。
本考案が解決しようとする課題は、上述の問題を解決し、耐久性とブローバック動作の確実性が高く、生産コストを低減できる、銃器用ブローバック構造を提供することにある。
【課題を解決するための手段】
【０００４】
本考案は、銃身の後方に銃床を前後へ摺動可能に配置して成る玩具銃に設置され、発射物を使い切った時、銃床をブローバック状態で維持する銃器用ブローバック構造に関し、銃器ブローバック片と、ブローバック解除ボタンとを備え、前記銃器ブローバック片は、回転軸を介して銃身側に取り付けられており、発射物を使い切った時に弾丸支え板で支承されて一方向へ回転し、前記銃床に衝接して前方への摺動を規制し、前記ブローバック解除ボタンは、ピンを介して銃身側に連結されると共に、前記銃器ブローバック片と連動し、前記銃器ブローバック片が一方向へ回転して前記銃床に衝接した時に前記ブローバック解除ボタンが一側へ回動し、前記ブローバック解除ボタンを他側へ回動させた時、前記銃器ブローバック片が他方向へ回転して前記銃床への衝接が解除され、前記銃身が前方へ摺動する。
【０００５】
前記銃器ブローバック片に係止リード角が形成され、前記係止リード角が前記銃床の前突起部に衝接してもよい。
好ましくは、前記銃器ブローバック片がパンチプレス鋼板より成る。
前記前突起部に傾斜リード角が形成され、前記係止リード角が前記傾斜リード角に衝接して係合することが望ましい。
前記銃器ブローバック片に少なくとも１つの上支え端が設置され、前記上支え端が前記弾丸支え板の頂板による支承を受けることがある。
前記ブローバック解除ボタンに解除ボタン貫通孔が形成され、銃身側に銃身貫通孔が形成され、前記ピンを前記解除ボタン貫通孔及び銃身貫通孔に挿通することにより、前記ブローバック解除ボタンが銃身側に連結されてもよい。
【０００６】
前記ブローバック解除ボタンにＬ型柱が設置され、前記Ｌ型柱が前記銃器ブローバック片の切欠口に係合して、前記ブローバック解除ボタンと前記銃器ブローバック片とが連動することがある。
この場合、前記Ｌ型柱の末端と前記切欠口との当接箇所の少なくとも一方は円弧球面とされ、前記Ｌ型柱の末端が前記切欠口の辺縁に沿って摺動することが望ましい。
好ましくは、前記ブローバック解除ボタンの内面に弾性体が設置され、前記弾性体は、前記ブローバック解除ボタンを他側へ回動するよう付勢する。
【考案の効果】
【０００７】
本考案の銃器用ブローバック構造は、構造が簡単でかさばらないので、一般の排莢不可なＧＢＢＲよりも複雑な機構を有し、内部空間の収容能力が制限された排莢式ガスブローバックライフルにも搭載することができ、しかもコストが低廉で済む。
また、軽量で、システムへの負担が低減されることから、動作が迅速で確実であり、耐久性も向上し、部材数が少なくて互いに分離可能であるため、長期間の使用で部材が磨耗しても、その部材のみを取替えれば済み、全体の取替えが不要となる。
なお、銃器ブローバック片の素材としてパンチプレス鋼板を採用すれば、銃床に衝突する際の衝撃に対する強度が増して耐久性がさらに向上し、薄くて軽量であり、加工性が良好で生産コストを低減できる。
【図面の簡単な説明】
【０００８】
【図１Ａ】本考案の実施例に係る銃器用ブローバック構造を取り付けた排莢システムモジュールの斜視図である。
【図１Ｂ】本考案の実施例に係る銃器用ブローバック構造を備えた銃器の要部側面図である。
【図１Ｃ】本考案の実施例に係る銃器用ブローバック構造を備えた銃器の要部正面図である。
【図２Ａ】本考案の実施例に係るメカボックス及びブローバック解除ボタンの分解斜視図である。
【図２Ｂ】本考案の実施例に係るメカボックス及びブローバック解除ボタンの別角度から見た分解斜視図である。
【図３Ａ】本考案の実施例を示す銃器用ブローバック構造のブローバック状態における外面図である。
【図３Ｂ】本考案の実施例を示す銃器用ブローバック構造のブローバック状態における内面図である。
【図３Ｃ】本考案の実施例を示す銃器用ブローバック構造のブローバック状態における正面図である。
【図４Ａ】本考案の実施例を示す銃器用ブローバック構造のブローバック解除状態における外面図である。
【図４Ｂ】本考案の実施例を示す銃器用ブローバック構造のブローバック解除状態における内面図である。
【図４Ｃ】本考案の実施例を示す銃器用ブローバック構造のブローバック解除状態における正面図である。
【図５Ａ】本考案の実施例に係るブローバック解除ボタンの正面図である。
【図５Ｂ】本考案の実施例に係るブローバック解除ボタンの側面図である。
【図６Ａ】本考案の実施例に係るメカボックス及び銃器用ブローバック構造の斜視図である。
【図６Ｂ】本考案の実施例に係るメカボックス及び銃器用ブローバック構造の平面図である。
【図７】本考案の他の実施例に係る銃器用ブローバック構造を備えた銃器の要部斜視図である。
【考案を実施するための形態】
【０００９】
以下、本考案の実施例を図面に基づいて詳細に説明する。
本考案の銃器用ブローバック構造は、玩具銃をブローバック状態で維持するものであって、図１Ａに示すように、ブローバック解除ボタン１０と、銃器ブローバック片２０とを備え、排莢システムモジュール１に間接的に取り付けられる。
玩具銃の全体構造は図示しないが、銃身の後方に銃床４０が前後方向へ摺動可能に配置され、銃身の後下部に作動部分であるメカボックス５０が取り付けられる。そして、メカボックス５０は銃床４０の下方に配置され（図１Ｂ及び図２Ａ）、排莢システムモジュール１がメカボックス５０の内部に収納される。
ブローバック解除ボタン１０は、ピン１１を介してメカボックス５０に連結され、銃器ブローバック片２０と連動するようになっている。
銃器ブローバック片２０は、その後端部が回転軸１２を介して排莢システムモジュール１の側面に枢支され、銃器ブローバック片２０の前端部に設置されている上支え端２０１が下から外力を受けて支承されている時、銃器ブローバック片２０に銃床４０へ衝接するような仰角を生じさせ、ブローバック状態が維持される。
【００１０】
図１Ｂに示すように、マガジンの内部の発射物を使い切った時、弾丸支え板３０の後端に位置する頂板３１が上昇し、排莢システムモジュール１に取り付けた銃器ブローバック片２０の前端の上支え端２０１が頂板３１によって下から支承され、銃器ブローバック片２０が、回転軸１２を中心として上方向へ回転すると共に、銃器ブローバック片２０の上部後端に形成された係止リード角２０２が銃床４０に衝接し、係止リード角２０２は、銃床４０の前部に設けられた前突起部４１に係合する。
【００１１】
前突起部４１の前端には傾斜リード角が形成されており、この傾斜リード角が係止リード角２０２に丁度対応して係合することから、銃器はブローバック（残弾ゼロでのブローバック）で維持される。また、係止リード角２０２と前突起部４１の傾斜リード角は、幾何的に互いに補角の関係になるので、銃床４０が銃器ブローバック片２０に作用する衝撃力が大きければ大きいほど、両者をより緊密に係合させるようになる。これにより、ブローバックとなった後、銃床４０の摺動を効果的に防止することができる。
銃床４０の前突起部４１は、銃器の様式によるブローバック位置の態様の相違に応じて、実銃と同じブローバック位置に達するように延長したり、短縮したりすることが可能であり、実際の銃との擬似度合いを増加させることができる。
【００１２】
図２Ａ及び図２Ｂに示すように、銃器用ブローバック構造のブローバック解除ボタン１０には、解除ボタン貫通孔１０１及びＬ型柱１０２が設置されている。
そして、ピン１１をメカボックス５０に前後方向に沿って形成された銃身貫通孔５１及び解除ボタン貫通孔１０１に挿通することにより、ブローバック解除ボタン１０は、メカボックス５０に内外方向へ回動可能に取り付けられる。
また、Ｌ型柱１０２は、ブローバック解除ボタン１０の背面に設置されると共に、銃器ブローバック片２０に形成されている切欠口２０３に嵌合され、ブローバック解除ボタン１０と銃器ブローバック片２０とが連動するようになっている。
【００１３】
ブローバック状態を完成した後、使用者が銃器のブローバック状態を解除しようとする時、ブローバック解除ボタン１０を内側へ押せば、Ｌ型柱１０２の末端弧面が銃器ブローバック片２０に形成された切欠口２０３の辺縁に沿って摺動して、銃器ブローバック片２０を下押しすることにより、銃器ブローバック片２０の係止リード角２０２と銃床４０との衝接が解除されて、銃器ブローバック状態が解除されるようになっている。図１Ｃから分かるように、各部品の構成上、本物の銃を彷彿とさせる外観が得られると共に、メカボックス内部の空間中に良好な銃器用ブローバック構造を設置することができる。
【００１４】
上支え端２０１が下から外力を受けて支承されている時、図３Ａに示すように、銃器ブローバック片２０は回転軸１２を中心として上向きに回転して、銃器ブローバック片２０の係止リード角２０２が銃器（未図示）に衝接する。また、図３Ｂから分かるように、ブローバック解除ボタン１０に設置されているＬ型柱１０２が銃器ブローバック片２０の切欠口２０３に挿通されることにより、ブローバック解除ボタン１０と銃器ブローバック片２０とが連動するようになっている。ブローバック解除ボタン１０に設置されているＬ型柱１０２の主要目的は、解除ボタン１０と銃器ブローバック片２０との角度の変化比率を変化させることにある。両者の回転角度が違うため、両者のトルクの力アームの長さを変化させて適切に合わせなければ、ブローバック動作に要する正確な行程が得られない。従って、このような機構においては、このようなＬ型の設計なしでは、正確なブローバック機能を達成し難い。
【００１５】
Ｌ型柱１０２の末端と切欠口２０３との当接箇所は円弧球面状のカム面となっており、銃器ブローバック片２０が上方に回転することにより、Ｌ型柱１０２の円弧球面１０４（図５Ａ及び図５Ｂ参照）を切欠口２０３の辺縁に沿って摺動させて僅かに上動させるようになっている。すると、図３Ｃに示すように、ブローバック解除ボタン１０はピン１１を中心に外側へ回動してある角度に傾斜する。
ブローバック解除ボタン１０のピン１１の軸心と、銃器ブローバック片２０の回転軸１２の軸心との角度は直角であるため、Ｌ型柱１０２と銃器ブローバック片２０の切欠口２０３との接触点は、互いに直交する面に沿って回動することになる。従って、互いに干渉し合わずに円滑に動作するためには、両者の接触面のうちの一方は、必ず円弧球面でなければならない。このような機構においては、このような円弧球面の設計なしでは、正確なブローバック機能を達成し難い。また、ブローバック解除ボタン１０の下端内面に弾性体収容凹溝１０３が形成され、この弾性体収容凹溝１０３に弾性体（図示せず）が収容される。
【００１６】
図４Ａ〜図４Ｃに示すように、銃器のブローバック状態を解除しようとする時、ブローバック解除ボタン１０のみを押せば、ブローバック解除ボタン１０がピン１１を中心として内側へ回動し、ブローバック解除ボタン１０の円弧球面１０４が銃器ブローバック片２０の切欠口２０３の下縁を下押し、銃器ブローバック片２０が銃器ブローバック片１０と連動して回転軸１２を中心として下方向へ回転する。この結果、係止リード角２０２が銃床４０の前突起部４１の傾斜リード角から脱離して、ブローバック解除動作が完成する。また、ブローバック解除ボタン１０の下端の弾性体凹溝１０３中に収容されている弾性体（未図示）は、ブローバック解除ボタン１０の下端を外向きに付勢しており、これにより、ブローバック解除ボタン１０と銃器ブローバック片２０は、弾丸支え板３０の後端の頂板３１による突き当てを受けていな場合には、銃を確実に非ブローバック状態（この状態は実銃と同様）に維持する。
【００１７】
ブローバック解除ボタン１０の背面に設置されているＬ型柱１０２が、銃器ブローバック片２０の切欠口２０３に挿通されていることにより、ブローバック解除ボタン１０と銃器ブローバック片２０とが連動するようになっている。図５Ａ及び図５Ｂに示すように、Ｌ型柱１０２の末端部下面は円弧球面１０４に設計され、この円弧球面１０４は、Ｌ型柱１０２を銃器ブローバック片２０の切欠口２０３の辺縁に沿って摺動可能として、銃器ブローバック片２０の状態（角度）を変化させるために供される。こうした円弧球面１０４の設計によれば、銃器ブローバック片の角度の変化をさらに円滑（Ｓｍｏｏｔｈ）に行えるようにする。
【００１８】
図６Ａ及び図６Ｂに示すように、本実施例では、銃器用ブローバック構造が排莢システムモジュール１を介して間接的にメカボックス５０に取り付けられる。即ち、銃器用ブローバック構造を構成する銃器ブローバック片２０が排莢システムモジュール１に取り付けられている。また、弾丸マガジンは、メカボックス５０の前部に設けたマガジンウェル５２中に収容され、銃床４０は、メカボックス５０の後部に設けた銃器マウント６０中に挿通される。本考案に係る構造は、実銃を彷彿とさせる外観と動作を実現することができる。また、この銃器用ブローバック機構の各部品（ブローバック解除ボタン１０及び銃器ブローバック片２０）は、排莢システムモジュール１に近接して取り付けられ、構造が精巧でかつ性能が良好であると同時に、銃体の内部空間を大きく占用することがない。
【００１９】
図７に本考案の他の実施例を示す。本実施例の銃器用ブローバック構造は、メカボックス５０に直接的に取り付けられる。即ち、ブローバック解除ボタン１０はメカボックス５０の側壁外面にピン１１を介して連結され、銃器ブローバック片２０はメカボックス５０の側壁内面に回転軸１２を介して取り付けられる。また、ブローバック解除ボタン１０は、銃器ブローバック片２０と連動するように構成され、銃器ブローバック片２０に設けられた上支え端２０１が弾丸支え板３０の頂板３１によって支承されている時、銃器ブローバック片２０は上方に回転して係止リード角２０２が銃床４０に衝接し、銃床４０がブローバック状態で保持される。マガジンはマガジンウェル５２中に収容され、銃床４０はブローバック可能に銃器マウント６０中に挿通されている。本考案の銃器用ブローバック構造は、実銃を彷彿とさせる外観と動作を実現することができる。また、この銃器用ブローバック機構は、メカボックス５０の内部の空間を利用することにより、各部品（ブローバック解除ボタン１０及び銃器ブローバック片２０）がメカボックス５０に近接して配置され、構造が精巧でかつ性能が良好であると同時に、銃体の内部空間を大きく占用することがない。
【００２０】
前述から分かるように、本考案の銃器用ブローバック構造は、頑丈で、本物の銃を模擬することができ、銃器用ブローバックシステム構造であり、部品が単純でかつ容易に生産することができるため、生産コストを低減させることができる。また、銃器ブローバック片については、鋼板プレス成形を採用すれば、ブローバック機能を信頼性高く実現し、しかも部品が比較的に磨耗し難くなる。さらに、部品を簡単に排莢システムモジュールに取り付け、或いはメカボックスに直接的に取り付けることができるため、如何なる外形の銃体であっても制限なく搭載でき、例え、年月がたつにつれて銃器ブローバック片が損耗しても簡単に取替えることができる。
以上は、本考案の実施例の説明であって、本考案を権利範囲を限定するものではなく、数値の変更や同等の機能を有する部材への置き換えはいずれも本考案の権利範囲に含まれる。
【符号の説明】
【００２１】
１：排莢システムモジュール
１０：ブローバック解除ボタン
１１：ピン
１２：回転軸
２０：銃器ブローバック片
３０：弾丸支え板
３１：頂板
４０：銃床
４１：前突起部
５０：メカボックス
５１：銃身貫通孔
５２：マガジンウェル
６０：銃器マウント
１０１：解除ボタン貫通孔
１０２：Ｌ型柱
１０３：弾性体収容溝
１０４：円弧球面
２０１：上支え端
２０２：係止リード角
２０３：切欠口
【図１Ａ】
0003195137.tif 000003
【図１Ｂ】
0003195137.tif 000004
【図１Ｃ】
0003195137.tif 000005
【図２Ａ】
0003195137.tif 000006
【図２Ｂ】
0003195137.tif 000007
【図３Ａ】
0003195137.tif 000008
【図３Ｂ】
0003195137.tif 000009
【図３Ｃ】
0003195137.tif 000010
【図４Ａ】
0003195137.tif 000011
【図４Ｂ】
0003195137.tif 000012
【図４Ｃ】
0003195137.tif 000013
【図５Ａ】
0003195137.tif 000014
【図５Ｂ】
0003195137.tif 000015
【図６Ａ】
0003195137.tif 000016
【図６Ｂ】
0003195137.tif 000017
【図７】
0003195137.tif 000018
【手続補正書】
【提出日】平成26年10月28日(2014.10.28)
【手続補正１】
【補正対象書類名】実用新案登録請求の範囲
【補正対象項目名】請求項８
【補正方法】変更
【補正の内容】
【請求項８】
前記Ｌ型柱の末端と前記切欠口との当接箇所の少なくとも一方は円弧球面とされ、前記
Ｌ型柱の末端が前記切欠口の辺縁に沿って摺動することを特徴とする、請求項７に記載の
銃器用ブローバック構造。